(57)【要約】【課題】入力信号に含まれるノイズの影響を受けないサンプルホールド回路と、正確なピットレベルを検出できるピットレベル検出回路と、的確なランニングＯＰＣを行って確実な書き込みを行うことができる光ディスク記録再生装置を提供すること。【解決手段】サンプリングした入力信号を保持するホールド用コンデンサを有するサンプルホールド回路において、前記ホールド用コンデンサと入力抵抗とによって生じる応答時間の遅延を短縮する応答時間短縮回路を有することとした。【選択図】    図１
2004362651.tif 000002
【特許請求の範囲】
【請求項１】
サンプリングした入力信号を保持するホールド用コンデンサを有するサンプルホールド回路において、
前記ホールド用コンデンサと入力抵抗とによって生じる応答時間の遅延を短縮する応答時間短縮回路を有することを特徴とするサンプルホールド回路。
【請求項２】
前記応答時間短縮回路は、入力信号の前記電圧がホールド用コンデンサのチャージ電圧よりも高い場合に、予め前記ホールド用コンデンサをチャージするチャージ回路と、入力信号の電圧が前記ホールド用コンデンサのチャージ電圧よりも低い場合に、予め前記ホールド用コンデンサをディスチャージするディスチャージ回路とで構成したことを特徴とする請求項１に記載のサンプルホールド回路。
【請求項３】
前記応答時間短縮回路は、入力信号の電圧をその最高値と最小値とから得られる平均値にするように構成したことを特徴とする請求項１に記載のサンプルホールド回路。
【請求項４】
前記応答時間短縮回路は、入力信号の電圧を最高値から所定の電圧をオフセットした値にするように構成したことを特徴とする請求項１に記載のサンプルホールド回路。
【請求項５】
サンプリングした入力信号の電圧を保持するホールド用コンデンサを有するサンプルホールド回路を用いてピットレベルの検出を行うピットレベル検出回路において、
前記サンプルホールド回路は、前記ホールド用コンデンサと入力抵抗とによって生じる応答時間の遅延を短縮する応答時間短縮回路を有することを特徴とするピットレベル検出回路。
【請求項６】
サンプリングした入力信号を保持するホールド用コンデンサを有するサンプルホールド回路を用いてピットレベルの検出を行う光ディスク記録再生装置において、
前記サンプルホールド回路は、前記ホールド用コンデンサと入力抵抗とによって生じる応答時間の遅延を短縮する応答時間短縮回路を有することを特徴とする光ディスク記録再生装置。
【発明の詳細な説明】
【０００１】
【発明の属する技術分野】
本発明は、サンプルホールド回路及び同サンプルホールド回路を用いたピットレベル検出回路並びに光ディスク記録再生装置に関するものである。
【０００２】
【従来の技術】
従来より、光ディスク記録再生装置は、追記型光ディスクに的確なレーザーパワーで情報記録するために、書き込み中に書き込み用レーザービームの最適な記録パワーを探し出すランニングＯＰＣ（Ｏｐｔｉｃａｌ  Ｐｏｗｅｒ  Ｃｏｎｔｒｏｌ）を行って、書き込み用レーザービームの強度補正を行っている。
【０００３】
このランニングＯＰＣを行うためのピットレベルを検出するピットレベル検出回路においては、ピットレベルをサンプルホールドするためにサンプルホールド回路が用いられている（例えば、特許文献１参照。）。
【０００４】
このサンプルホールド回路としては、図６に示す構成のものが広く知られている。
【０００５】
すなわち、このサンプルホールド回路Ｃは、入力抵抗１０１をサンプリングスイッチ１０２の入力に接続し、同サンプリングスイッチ１０２の出力をバッファ１０３の入力に接続するとともに、サンプリングスイッチ１０２の出力とグランドとの間にホールド用コンデンサ１０４を接続して構成している。
【０００６】
そして、サンプルホールド回路Ｃは、入力信号をサンプリングするサンプルモードと、サンプリングしたサンプリング値を所定時間保持するホールドモードとをサンプリングスイッチ１０２に入力したサンプルパルスによって切り替えながら作動している。
【０００７】
すなわち、サンプルモードにおいてはサンプリングスイッチ１０２の入力と出力とを接続して、入力信号をホールド用コンデンサ１０４に充電しながらサンプリングしている。一方、ホールドモードにおいてはサンプリングスイッチ１０２の入力と出力とを切断してホールド用コンデンサ１０４を開放し、ホールド用コンデンサ１０４に充電したサンプリング値を保持している。
【０００８】
このようにして、サンプルホールド回路Ｃは、サンプルパルスの周期で入力信号をサンプリングし、サンプリングしたサンプリング値を所定時間保持して次段の回路に伝達していた。
【０００９】
【特許文献１】
特開平６−７６２８８号公報
【００１０】
【発明が解決しようとする課題】
しかし、上記のサンプルホールド回路Ｃでは、入力信号に含まれている高周波成分のノイズ（マルチパルス記録による高周波成分を含む）を除去できないことにより、ノイズ範囲における様々な誤差をとり得るという不具合があった。
【００１１】
そこで、サンプルホールド回路の入力信号に含まれる高周波成分のノイズを除去すべく、入力抵抗とホールド用コンデンサとによって生じる時定数を大きくした場合には、今度は入力信号の変化に対するサンプリングのレスポンスが遅くなりすぎて、１回のサンプリングでは入力信号を十分にサンプリングできないという不具合があった。
【００１２】
【課題を解決するための手段】
そこで、請求項１に係る本発明では、サンプリングした入力信号を保持するホールド用コンデンサを有するサンプルホールド回路において、前記ホールド用コンデンサと入力抵抗とによって生じる応答時間の遅延を短縮する応答時間短縮回路を有することとした。
【００１３】
また、請求項２に係る本発明では、前記応答時間短縮回路は、入力信号の電圧がホールド用コンデンサのチャージ電圧よりも高い場合に、予めホールド用コンデンサをチャージするチャージ回路と、入力信号の電圧がホールド用コンデンサのチャージ電圧よりも低い場合に、予めホールド用コンデンサをディスチャージするディスチャージ回路とで構成することとした。
【００１４】
また、請求項３に係る本発明では、前記応答時間短縮回路は、入力信号の電圧をその最高値と最小値とから得られる平均値にするように構成することとした。
【００１５】
また、請求項４に係る本発明では、前記応答時間短縮回路は、入力信号の電圧を最高値から所定の電圧をオフセットした値にするように構成することとした。
【００１６】
また、請求項５に係る本発明では、サンプリングした入力信号の電圧を保持するホールド用コンデンサを有するサンプルホールド回路を用いてピットレベルの検出を行うピットレベル検出回路において、前記サンプルホールド回路は、前記ホールド用コンデンサと入力抵抗とによって生じる応答時間の遅延を短縮する応答時間短縮回路を有することとした。
【００１７】
また、請求項６に係る本発明では、サンプリングした入力信号を保持するホールド用コンデンサを有するサンプルホールド回路を用いてピットレベルの検出を行う光ディスク記録再生装置において、前記サンプルホールド回路は、前記ホールド用コンデンサと入力抵抗とによって生じる応答時間の遅延を短縮する応答時間短縮回路を有することとした。
【００１８】
【発明の実施の形態】
本発明のサンプルホールド回路は、入力抵抗とホールド用コンデンサとによって生じる時定数を、通過帯域がノイズ周波数以下となるように大きく設定することによって、ノイズを除去しながらサンプリングを行ってノイズに影響されない正確なサンプリング値を得ることができるようにしたものである。
【００１９】
そして、特に、時定数を大きく設定したことによって生じる入力信号に対するサンプリングのレスポンスの遅延を短縮する応答時間短縮回路を設けているものである。
【００２０】
したがって、入力信号がたとえ急峻に変化したとしても、その変化に対応して安定したサンプリングを行うことができるとともに、入力信号に含まれる高周波成分のノイズの影響を受けることがないので、正確なサンプルホールドを行うことができる。
【００２１】
以下において、図面に基づいて本発明の実施形態を詳説する。ここでは、光ディスク記録再生装置のピットレベル検出回路においてピットレベルをサンプルホールドするサンプルホールド回路Ａであるとして説明する。
【００２２】
図１は、本実施形態のサンプルホールド回路Ａを使用したピットレベル検出回路１の回路図である。
【００２３】
ピットレベル検出回路１は、ピットレベルをリアルタイムで検出する検出回路２と、同検出回路２の出力信号をサンプルホールドするサンプルホールド回路Ｂと、同サンプルホールド回路Ｂの出力信号をサンプルホールドするサンプルホールド回路Ａと、同サンプルホールド回路Ａの出力信号に基づいてピットレベル検出値の調整を行う調整回路３とを直列に接続して構成している。
【００２４】
検出回路２は、４分割ディテクタ４と、加算器５と、アンプ６とを直列に接続して構成している。
【００２５】
サンプルホールド回路Ｂは、入力抵抗７とサンプリングスイッチ８とバッファ９とを直列に接続し、サンプリングスイッチ８の出力側に、一端をグランドに接続したホールド用コンデンサ１０を接続して構成している。サンプリングスイッチ８には、サンプルパルスＳ５を入力し、同サンプルパルスＳ５に基づいてサンプルホールドすべく構成している。
【００２６】
サンプルホールド回路Ａは、入力信号をサンプルホールドする基本回路Ａ１と、基本回路Ａ１における応答時間の遅延を短縮させる応答時間短縮回路Ａ２とから構成している。
【００２７】
基本回路Ａ１は、入力抵抗１１と、サンプリングスイッチ１２と、バッファ１３とを直列に接続し、サンプリングスイッチ１２の出力側に一端をグランドに接続したホールド用コンデンサ１４を接続して構成している。
【００２８】
サンプリングスイッチ１２には、サンプルパルスＳ５を入力し、同サンプルパルスＳ５に基づいてサンプルホールドすべく構成している。
【００２９】
サンプルパルスＳ５は、サンプルホールド回路Ｂのサンプリングスイッチ８と、サンプルホールド回路Ａのサンプリングスイッチ１２とに入力し、サンプルホールド回路Ｂとサンプルホールド回路Ａとを同じタイミングでサンプルホールドさせている。
【００３０】
入力抵抗１１とホールド用コンデンサ１４とから決定される時定数は、検出回路２から出力されるピットレベルに含まれている高周波成分のノイズを除去できる値に設定している。
【００３１】
応答時間短縮回路Ａ２は、入力信号Ｓ２の電圧がホールド用コンデンサ１４のチャージ電圧よりも高い場合に、予めホールド用コンデンサ１４をチャージするチャージ回路Ａ３と、入力信号Ｓ２の電圧が前記ホールド用コンデンサ１４のチャージ電圧よりも低い場合に、予め前記ホールド用コンデンサ１４をディスチャージするディスチャージ回路Ａ４から構成している。
【００３２】
チャージ回路Ａ３は、入力抵抗１１の入力側とホールド用コンデンサ１４との間に、直列に接続したチャージ制御ダイオード１５とチャージ用電源１６とを並列接続して構成している。
【００３３】
特に、チャージ制御ダイオード１５は、ホールド用コンデンサ１４にチャージ用電源１６によるチャージを行う方向に接続しており、チャージ用電源１６は、チャージ制御ダイオード１５の立ち上がり電圧ＶＦと、ピットレベル理想値ＶＴＨとの差であるＶＦ−ＶＴＨの逆バイアスを印加すべく構成している。
【００３４】
ディスチャージ回路Ａ４は、入力抵抗１１の入力側とホールド用コンデンサ１４との間に、直列に接続したディスチャージ制御ダイオード１７とディスチャージ用電源１８とを並列接続して構成している。
【００３５】
特に、ディスチャージ制御ダイオード１７は、ホールド用コンデンサ１４にディスチャージ用電源１８によるディスチャージを行う方向に接続しており、ディスチャージ用電源１８は、ディスチャージ制御ダイオード１７に−ＶＦ＋ＶＴＨの逆バイアスをかけるディスチャージ用電源１８とを並列接続して構成している。
【００３６】
調整回路３は、バッファ１９とローパスフィルタ２０とを直列に接続して構成している。
【００３７】
次に、ピットレベル検出回路１の動作について説明する。
【００３８】
まず、検出回路２において、ピットレベルを４分割ディテクタ４によってリアルタイムに検出し、４分割ディテクタ４のそれぞれの出力を加算器５によって加算し、さらにアンプ６によって増幅してアンプ出力信号Ｓ１を次段のサンプルホールド回路Ｂに出力する。
【００３９】
ここで、アンプ出力信号Ｓ１には、図２（ａ）に示すように、外乱ノイズやライトストラテジパルス等からの飛び込みノイズ等が含まれている。
【００４０】
サンプルホールド回路Ｂでは、アンプ出力信号Ｓ１をサンプリングするサンプルモードと、サンプリングしたサンプリング値を所定時間保持するホールドモードとを、サンプルパルスＳ５によってサンプリングスイッチ８を切り替えながら、アンプ出力信号Ｓ１からサンプルホールド回路Ｂの出力信号Ｓ２を生成している。
【００４１】
ここで、サンプルホールド回路Ｂの出力信号Ｓ２は、図２（ｂ）に示すように、入力抵抗７とホールド用コンデンサ１０とによって生じる時定数が小さいので、非常に高い高周波成分のノイズは除去することができるが、それ以外のノイズは除去することができず、それらのノイズに追従した波形となっている。
【００４２】
サンプルホールド回路Ａは、サンプルホールド回路Ｂの出力信号Ｓ２をサンプリングするサンプルモードと、サンプリングしたサンプルホールド回路Ｂの出力信号Ｓ２を所定時間保持するホールドモードとを、サンプルパルスＳ５によってサンプリングスイッチ１２を制御してサンプルホールド回路Ｂと同じタイミングで切り替えながらサンプリングを行う。
【００４３】
すなわち、サンプルモードにおいてはサンプリングスイッチ１２の入力側と出力側とを接続して、サンプルホールド回路Ｂの出力信号Ｓ２を入力抵抗１１とホールド用コンデンサ１４とによって積分するとともにホールド用コンデンサ１４に充電する。
【００４４】
一方、ホールドモードにおいてはサンプリングスイッチ１２の入力側と出力側とを切断してホールド用コンデンサ１４を開放し、このホールド用コンデンサ１４に充電したサンプリング値を保持する。
【００４５】
ここで、サンプルホールド回路Ａでは時定数を大きく設定していることによって、信号の通過帯域がノイズ周波数以下となっている。したがって、サンプルホールド回路Ｂで除去しきれなかったノイズを除去することができ、サンプリング値を平滑化することができる。
【００４６】
そして、サンプリング値はサンプルホールド回路Ｂの出力信号Ｓ２に含まれていた高周波成分のノイズ振幅の中心に収束することになり、実際のピットレベル検出値に近似されることになる。
【００４７】
しかも、チャージ回路Ａ３を設けているので、ダイオード１５に正バイアスがかかるとダイオード１５が導通してホールド用コンデンサ１４をチャージすることができる。
【００４８】
また、ディスチャージ回路Ａ４を設けているので、ダイオード１７に正バイアスがかかるとダイオード１７が導通してホールド用コンデンサ１４をディスチャージすることができる。
【００４９】
その結果、ホールド用コンデンサ１４の電圧レベルを、サンプルホールド回路Ｂの出力のアＶＴＨの範囲まで常時強制的にチャージ・ディスチャージして、ホールド用コンデンサ１４のＤＣレベルを、検出すべき検出レベルに対してア（ＶＴＨ−ノイズ振幅ＶＰ）まで急速に立ち上げることができる。
【００５０】
したがって、サンプリング値を定常値に収束するまでの時間を短縮して安定したサンプリングを行うことができる。
【００５１】
このように、サンプルホールド回路Ａは、入力信号の電圧がたとえ急峻に変化したとしても、その変化に追従してサンプリング値を短時間で定常値に収束する迅速なサンプリングを行うことができ、しかも、入力信号の電圧に含まれる高周波成分のノイズの影響を受けることがないので、正確なサンプリング値を出力することができる。このサンプルホールド回路Ａの出力信号Ｓ３を図２（ｃ）に示す。
【００５２】
このサンプルホールド回路Ａ出力信号Ｓ３は、次段の調整回路３に入力される。
【００５３】
調整回路３は、サンプルホールド回路Ａの出力信号Ｓ３をバッファ１９に通した後にローパスフィルタ２０にかけ、ローパスフィルタ２０の通過帯域以上の周波数成分であるノイズを除去する。したがって、ローパスフィルタ２０の出力信号Ｓ４は、図２（ｄ）に示すように、サンプルホールド回路Ａの出力信号Ｓ３をさらに平滑化することができる。
【００５４】
このように、サンプルホールド回路Ａを有するピットレベル検出回路１は、検出中に発生するノイズの影響を受けることなく、正確なピットレベルを検出することができる。
【００５５】
したがって、このピットレベル検出器１を具備する光ディスク記録再生装置は、正確なピットレベルの検出により的確なランニングＯＰＣを行って確実な書き込みを行うことができる。
【００５６】
以上、チャージ回路Ａ３とディスチャージ回路Ａ４とからなる応答時間短縮回路Ａ２を有するサンプルホールド回路について説明してきたが、チャージ回路Ａ３とディスチャージ回路Ａ４とからなる応答時間短縮回路Ａ２の代わりに、入力信号の電圧をその最高値と最小値とから得られる平均値にするように構成した応答時間短縮回路Ａ２’を用いることもできる。
【００５７】
この応答時間短縮回路Ａ２’を用いたサンプルホールド回路Ａ’について説明する。
【００５８】
図３は、ピットレベル検出回路１において、サンプルホールド回路Ａの代わりにサンプルホールド回路Ａ’を用いたピットレベル検出回路５０の回路図である。使用する符号は、ピットレベル検出回路１と同一構成要素については同一符号を付すとともに、ここでの説明を省略する。
【００５９】
まず、ピットレベル検出回路５０の構成について説明する。
【００６０】
ピットレベル検出回路５０は、図３に示すように、検出回路２と、サンプルホールド回路Ｂと、サンプルホールド回路Ａ’と、調整回路３とを直列に接続して構成している。
【００６１】
サンプルホールド回路Ａ’は、応答時間短縮回路Ａ２’と基本回路Ａ１とを直列に接続して構成している。
【００６２】
応答時間短縮回路Ａ２’は、最高値を検出するピークホールド回路５１と最小値を検出するボトムホールド回路５２とを並列に接続し、それぞれの出力を加算器５３に入力し、この加算器５３の出力をアンプ５４に入力し、このアンプ５４の出力を基本回路Ａに入力することによって構成している。
【００６３】
なお、ピークホールド回路５１とボトムホールド回路５２とのドループ特性はノイズに追従しないように設定している。
【００６４】
次に、ピットレベル検出回路５０の動作について説明する。
【００６５】
サンプルホールド回路Ｂの出力信号Ｓ２は、ピークホールド回路５１に入力されることによって、サンプルホールド回路Ｂの出力信号Ｓ２の最大値が検出される。
【００６６】
また、サンプルホールド回路Ｂの出力信号Ｓ２は、ボトムホールド回路５２に入力されることによって、サンプルホールド回路Ｂの出力信号Ｓ２の最小値が検出される。
【００６７】
これらサンプルホールド回路Ｂの出力信号Ｓ２の最大値と最小値は加算器５３に入力されて加算され、その後、アンプ５４によって出力レベルを１／２に減幅される。
【００６８】
したがって、アンプ５４の出力はサンプルホールド回路Ｂの出力信号Ｓ２の平均値と等しくなり、サンプルホールド回路Ｂの出力信号Ｓ２からノイズを除去した実際のピットレベル検出値に近似させることができ、サンプルホールド回路Ｂの出力信号Ｓ２を平滑化することができる。
【００６９】
その結果、応答時間短縮回路Ａ２’の出力を時定数を大きく設定した基本回路Ａ１に入力しても、基本回路Ａ１は安定したサンプリングを行って正確なサンプリング値を出力することができる。
【００７０】
したがって、サンプルホールド回路Ａ’は、サンプルホールド回路Ｂの出力信号Ｓ２に含まれるノイズの影響を受けることなく確実なサンプリングを行って、正確なピットレベルを検出することができる。
【００７１】
また、他の実施形態として、チャージ回路Ａ３とディスチャージ回路Ａ４とからなる応答時間短縮回路Ａ２の代わりに、入力信号の電圧を最高値から所定の電圧をオフセットした値とするように構成した応答時間短縮回路Ａ２”を用いることもできる。
【００７２】
この応答時間短縮回路Ａ２”を用いたサンプルホールド回路Ａ”について説明する。
【００７３】
ピットレベル検出回路１において、サンプルホールド回路Ａの代わりにサンプルホールド回路Ａ”を用いたピットレベル検出回路６０を図４に示す。使用する符号は、ピットレベル検出回路１と同一構成要素については同一符号を付すとともに、ここでの説明を省略する。
【００７４】
まず、ピットレベル検出回路６０の構成について説明する。
【００７５】
ピットレベル検出回路６０は、検出回路２と、サンプルホールド回路Ｂと、サンプルホールド回路Ａ”と、調整回路３とを直列に接続して構成している。
【００７６】
サンプルホールド回路Ａ”は、応答時間短縮回路Ａ２”と、基本回路Ａ１とを直列に接続して構成している。
【００７７】
応答時間短縮回路Ａ２”は、ピークホールド回路５１と可変型電源６１とを直列に接続して構成している。
【００７８】
次に、ピットレベル検出回路６０の動作について説明する。
【００７９】
サンプルホールド回路Ｂの出力信号Ｓ２は、ピークホールド回路５１に入力されることによって、サンプルホールド回路Ｂの出力信号Ｓ２の最大値が検出される。
【００８０】
この最大値に、可変型電源６１により入力ノイズの最大振幅値Ｖｐだけをカットするオフセットを付加することによって、入力信号の平均値に近似させることができる。
【００８１】
したがって、サンプルホールド回路Ｂの出力信号Ｓ２からノイズを除去した実際のピットレベル検出値に近似させることができるとともに、サンプルホールド回路Ｂの出力信号Ｓ２を平滑化することができる。
【００８２】
これにより、応答時間短縮回路Ａ２”の出力を時定数が大きく設定された基本回路Ａ１に入力しても、基本回路Ａ１は安定したサンプリングを行って正確なサンプリング値を出力することができる。
【００８３】
なお、サンプルホールド回路Ａ”におけるピークホールド回路５１のドループレートをサンプルパルスＳ５の間隔に影響しない程長く設定することによって、基本回路Ａ１を省略することができる。基本回路Ａ１を省略したピットレベル検出回路７０を図５に示す。
【００８４】
また、ピークホールド回路５１の代わりにボトムホールド回路５２を用いて応答時間短縮回路を構成することもできる。その場合には、可変型電源６１によってＶｐＶのオフセット電圧を付加する。すなわち、サンプルホールド回路Ｂの出力信号Ｓ２の最小値にオフセットを付加することによって、サンプルホールド回路Ｂの出力信号Ｓ２の平均値に近似させることができる。
【００８５】
したがって、応答時間短縮回路は、応答時間短縮回路Ａ２”と同様に、サンプルホールド回路Ｂの出力信号Ｓ２からノイズを除去した実際のピットレベル検出値に近似することができるとともに、サンプルホールド回路Ｂの出力信号Ｓ２を平滑化することができる。
【００８６】
【発明の効果】
請求項１記載の本発明では、サンプリングした入力信号を保持するホールド用コンデンサを有するサンプルホールド回路において、ホールド用コンデンサと入力抵抗とによって生じる応答時間の遅延を短縮する応答時間短縮回路を有するため、入力信号に含まれる高周波成分のノイズの影響を受けることなく、しかも、サンプリング中に十分なサンプリングを行って安定したサンプリングとして正確なサンプリング値を得ることができる。
【００８７】
また、請求項２記載の本発明では、応答時間短縮回路は、入力信号の電圧がホールド用コンデンサのチャージ電圧よりも高い場合に、予めホールド用コンデンサをチャージするチャージ回路と、入力信号の電圧がホールド用コンデンサのチャージ電圧よりも低い場合に、予めホールド用コンデンサをディスチャージするディスチャージ回路とで構成しているため、ホールド用コンデンサの電圧が入力の所定範囲内となるように強制的にチャージ・ディスチャージすることができ、入力信号の変化にも急峻に追従して定常値に収束する時間を短縮することができる。したがって、安定したサンプリングを行うことができるとともに、入力信号に含まれているノイズの影響を受けずに正確なサンプリング値を得ることができる。
【００８８】
また、請求項３記載の本発明では、応答時間短縮回路は、入力信号の電圧をその最高値と最小値とから得られる平均値にするように構成しているため、サンプリングを行う前に、入力信号に含まれるノイズを除去することによって入力信号を平滑化することができ、入力信号に対するサンプリングのレスポンスの遅延の発生を防止して安定したサンプリングを可能とするとともに、ノイズの影響を受けない正確なサンプリングを行うことができる。
【００８９】
また、請求項４記載の本発明では、応答時間短縮回路は、入力信号の電圧を最高値から所定の電圧をオフセットした値にするように構成しているため、サンプリングを行う前に、入力信号に含まれるノイズを除去することによって入力信号を平滑化することができ、入力信号に対するサンプリングのレスポンスの遅延の発生を防止して安定したサンプリングを可能とするとともに、ノイズの影響を受けない正確なサンプリングを行うことができる。
【００９０】
また、請求項５記載の本発明では、サンプリングした入力信号の電圧を保持するホールド用コンデンサを有するサンプルホールド回路を用いてピットレベルの検出を行うピットレベル検出回路において、サンプルホールド回路は、ホールド用コンデンサと入力抵抗とによって生じる応答時間の遅延を短縮する応答時間短縮回路を有しているため、ピットレベル検出回路は、ピットレベルに含まれる高周波成分のノイズの影響を受けることなく、しかも、サンプリング中に十分なサンプリングを行うことができ安定したサンプリングを行って正確なピットレベルを検出することができる。
【００９１】
また、請求項６記載の本発明では、サンプリングした入力信号を保持するホールド用コンデンサを有するサンプルホールド回路を用いてピットレベルの検出を行う光ディスク記録再生装置において、サンプルホールド回路は、ホールド用コンデンサと入力抵抗とによって生じる応答時間の遅延を短縮する応答時間短縮回路を有しているため、光ディスク記録再生装置は、入力信号に含まれる高周波成分のノイズの影響を受けることなく、しかも、サンプリング中に十分なサンプリングを行うことができ安定したサンプリングを行って正確なピットレベルを検出することができる。したがって、光ディスク記録再生装置は、的確なランニングＯＰＣを行って確実な書き込みを行うことができる効果がある。
【図面の簡単な説明】
【図１】サンプルホールド回路を有するピットレベル検出回路の回路図。
【図２】（ａ）はアンプ出力の信号波形図、（ｂ）はサンプルホールド回路Ｂの出力の信号波形図、（ｃ）はサンプルホールド回路Ａの出力の信号波形図、（ｄ）はローパスフィルタの出力の信号波形図、（ｅ）はサンプルパルスの信号波形図。
【図３】他の実施形態に係るサンプルホールド回路の回路図。
【図４】他の実施形態に係るサンプルホールド回路の回路図。
【図５】他の実施形態に係るサンプルホールド回路の回路図。
【図６】従来のピットレベル検出回路の回路図。
【符号の説明】
Ａ  サンプルホールド回路
Ｂ  サンプルホールド回路
Ａ１  基本回路
Ａ２  応答時間短縮回路
Ａ３  チャージ回路
Ａ４  ディスチャージ回路
１  ピットレベル検出回路
２  検出回路
３  調整回路
１１  入力抵抗
１２  サンプリングスイッチ
１４  ホールド用コンデンサ
【図１】
2004362651.tif 000003
【図２】
2004362651.tif 000004
【図３】
2004362651.tif 000005
【図４】
2004362651.tif 000006
【図５】
2004362651.tif 000007
【図６】
2004362651.tif 000008